(57)【特許請求の範囲】
【請求項１】
めっき処理槽内の幅方向の両側に槽内中央に向う面が布製部材からなりかつ全体として密閉型のアノード室を形成する密閉アノード室構造体を装着するとともに各密閉アノード室構造体にアノードとこれを包囲する布製包囲部材とからなるアノードユニットを収容させ、密閉アノード室構造体間のめっき処理液中にカソードを形成するワークを浸漬させ、ワークと両アノードとの間に給電しつつ当該ワークの表面にめっき処理を施すめっき処理装置において、
前記各アノード室内でかつ当該各アノードユニット外からめっき処理液を抽出して他所に供給可能なめっき処理液抽出供給手段と、電解除去槽，この電解除去槽の内部に装着された１対の陽極部材および両陽極部材間に装着された陰極部材を有しかつめっき処理液抽出供給手段によって抽出供給されためっき処理液中の不純物の大部分を電解処理により陰極部材側に析出させて除去する電解除去処理装置と、この電解除去処理装置を通過した後のめっき処理液中に残存する小量の不純物を機械的に除去可能かつカートリッジを交換可能なフィルター装置と、このフィルター装置により残存不純物が除去されためっき処理液を前記めっき処理槽内でかつ各密閉アノード室構造体外のカソード室に戻し供給可能なめっき処理液戻し供給手段とを設けた、めっき処理装置。
【請求項２】
前記めっき処理槽と前記電解除去槽とを前記電解除去槽内の液面が前記めっき処理槽内の液面に対して低くなるように配設し、前記めっき処理液抽出供給手段が重力利用の自然流によって前記各アノード室内のめっき処理液を前記電解除去槽へ抽出供給可能に形成されている、請求項１記載のめっき処理装置。
【請求項３】
槽内中央に向う面が布製部材からなりかつアノードおよび布製包囲部材を含むアノードユニットを収容可能な全体として密閉型構造のアノード室を形成するとともにめっき処理槽内の幅方向の両側に装着された密閉アノード室構造体の間にカソードであるワークを浸漬させ、ワークと両アノードとの間に給電しつつ当該ワークの表面にめっき処理を施すめっき処理方法において、
１対の陽極部材および両陽極部材間に装着された陰極部材を有する電解除去処理装置を用いて前記各密閉アノード室構造体のアノード室内でかつ当該各アノードユニット外から抽出供給されためっき処理液中の不純物の大部分を電解処理により陰極部材側に析出させて除去し、次いでフィルター装置を用いて電解除去処理装置を通過しためっき処理液中に残存する小量の不純物を機械的に除去し、フィルター装置を通過しためっき処理液を前記めっき処理槽内のカソード室に戻し供給しつつめっき処理を行う、めっき処理方法。
【発明の詳細な説明】
【技術分野】
【０００１】
本発明は、めっき処理槽内に装着された槽内中央に向う面が布製部材からなりかつ全体として密閉型のアノード室を形成する密閉アノード室構造体にアノードユニット（アノード、布製包囲部材）を収容させ、密閉アノード室構造体間のめっき処理液中にワーク（カソード）を浸漬させ、ワークと両アノードとの間に給電しつつ当該ワークの表面にめっき処理を施すめっき処理方法およびめっき処理装置に関する。
【背景技術】
【０００２】
品質（皮膜品質，皮膜厚さ等）の均一性を維持しつつワーク（例えば、プリント配線基板）Ｗの大量生産のためには、独立しためっき処理槽を多数列配しかつワークを各めっき処理槽に順番に搬送しつつめっき処理するバッチ式のめっき処理方法（装置）に比較して、ワークを同一のめっき処理槽内を連続搬送しつつめっき処理する連続式のめっき処理方法（装置）の方が有利である。
【０００３】
連続式のめっき処理装置１０Ｐ１は、例えば図４に示す如く、めっき処理槽１１Ｐ内の幅方向で両側にアノード２２Ｐ，２２Ｐが装着され、中央のカソード室１１ＫＰにカソードつまりワーク（めっき処理対象物）Ｗを挿入・浸漬可能であり、めっき処理液Ｑ中のアノード２２Ｐ，２２ＰおよびワークＷに外部電源１００Ｐから給電可能に形成されている。
【０００４】
めっき処理槽１１Ｐは、ワークＷの搬送方向（図４で紙面に垂直方向）に長大な１連続槽とされ、めっき処理液Ｑ中に浸漬したままの状態でかつ搬送手段（図示省略）によって搬送方向に連続搬送されるワークＷにめっき処理（アノード金属を析出）を連続して施せる。
【０００５】
ところで、アノード金属イオンを効率よくかつ安定してカソード室１１ＫＰ内に供給できるように、アノード２２Ｐ自体にアノード金属溶融促進用物質を含有させている場合が多い。したがって、アノードが溶出すると必然的に不純物（アノード金属溶融促進用物質）がスライムという形で溶出することになる。
【０００６】
これを放置したのでは、めっき処理液Ｑ中に不純物（異物…アノード金属溶融促進用物質）が混入してしまうから、析出皮膜にブツやザラが生じ易い。また、めっき処理条件（液Ｑの性状乃至組成，電流密度，極間距離，液温等々）を一定範囲内に維持することが難しくなり、めっき品質（皮膜品質，皮膜厚さ等）の均一性を維持できなくなる。
【０００７】
そこで、従来は、めっき処理槽１１Ｐ内の各アノード２２Ｐを布製包囲部材（例えば、布袋２３Ｐ）で包囲することにより、各アノード２２Ｐから溶出したスライム（不純物）がカソード室１１ＫＰ内に直接に侵入しないように形成していた。かかる構造とすれば、アノード２２Ｐから溶出したスライム（不純物）がカソード室１１ＫＰ内へ侵入することを防止するための性能（いわゆるスライム侵入防止性能）を、布メッシュの狭小化度合に比例的に向上させることができる。換言すれば、ワークＷが一段の高品質が求められる電子部品（例えば、プリント配線基板）等である場合には、布製包囲部材（布袋２３Ｐ）の布メッシュの狭小化が一段と強まる傾向にある。
【０００８】
しかし、この考え方では、運転当初は初期の侵入防止性能を発揮させることができるが、時間経過とともに布製包囲部材（布袋２３Ｐ）のメッシュがスライム（不純物）で目詰まりしてしまうから、カソード室１１ＫＰへのアノード金属イオンの本来的な供給量が大幅に減ってしまう。また、アノード・カソード間の電流密度を維持できなくなり、高品質めっき処理を安定して行えなくなる。
【０００９】
ここにおいて、上記問題を解決するために解決することができる装置（特許文献１を参照）が、先に、本出願人から提案されている。すなわち、特許文献１に係る先提案のめっき処理装置１０Ｐ２は、図５に示されたように、めっき処理槽１１内の幅方向（図で左右方向）の両側に槽内中央に向う面が布製部材２６からなりかつ全体として密閉型のアノード室２４を形成する密閉アノード室構造体２０（２０Ｌ，２０Ｒ）を装着するとともに、各密閉アノード室構造体のそれぞれにアノードユニット２１（２１Ｌ，２１Ｒ）を収容させた構造である。
【００１０】
また、吸込ポンプ５３Ｐを運転することで、各アノード室２４内でかつ当該各アノードユニット２１外のめっき処理液を当該各吸込枝管５１ＬＰ，５１ＲＰおよび吸込管５２Ｐを通して吸込抽出するとともに、吸込ポンプ５３Ｐで加圧した抽出めっき処理液をフィルター装置７０に供給可能に形成されている。
【００１１】
すなわち、めっき処理液Ｑ中でかつ両アノードユニット２１Ｌ，２１Ｒ間にカソード（ワークＷ）を浸漬し、しかる後にワークＷと両アノード２２との間に給電すると、各アノード２２から溶出したアノード金属は、アノードユニット２１の一部を形成する布製包囲部材２３を内側から外側に通りかつ密閉アノード室構造体２０の布製部材２６を内側から外側に通過してワーク（カソード）Ｗに至りかつその表面に析出される。なお、２５は、仕切壁である。
【００１２】
この際、アノードユニット２１内ではアノード２２からアノード金属とともに不純物（アノード金属溶融促進用物質）がスライムの形で溶出する。このスライムの大部分は、短期的には、アノードユニット２１の布製包囲部材２３で外側への通過が阻止されるが、一部はこれを通過する。
【００１３】
この外側に通過したスライムは、密閉アノード室構造体２０の布製部材２６で外側への通過が阻止されるから、直接にカソード室１１Ｋに至らずに密閉アノード室構造体２０内すなわちアノード室２４内に停滞する。しかし、これを放置しておくと、アノード室２４内の不純物の停滞量が次第に増大し、従来例（図４）の場合と同様に、時間経過とともにカソード室１１Ｋ側への侵入量が増して行く。
【００１４】
そこで、吸込ポンプ５３Ｐを運転すると、各アノード室２４内でかつ当該各アノードユニット２１外のめっき処理液の一部は抽出されつつフィルター装置７０に供給される。すなわち、抽出供給されためっき処理液中の不純物をフィルター装置７０で機械的に除去することができる。不純物除去後の抽出めっき処理液は、めっき処理槽１１内でかつ各密閉アノード室構造体２０外のカソード室１１Ｋに戻し供給される。
【００１５】
かくして、アノード室２４内の不純物濃度はめっき処理に害を及ぼすことがない程度に調整することができ、カソード室１１Ｋには不純物除去後の新鮮なめっき処理液を供給することができる。つまり、ワークＷを浸漬するめっき処理液Ｑ中への不純物の侵入を抑制しつつ、アノード金属イオンをカソード室１１Ｋに安定供給することができるから、析出皮膜（表面状態）にザラやブツのない高品質製品を安定して生産することができる。よって、めっき処理装置１０Ｐ２は普及拡大の途にある。
【特許文献１】特開２００３−１３２９１号公報
【発明の開示】
【発明が解決しようとする課題】
【００１６】
しかしながら、生産性の一段の向上，装置コストの低減化や一層の取扱い容易化を重要視する運用の実際においては、めっき処理装置１０Ｐ２にはまだ改善の余地があるとの指摘がある。
【００１７】
すなわち、フィルター装置７０に目詰まりが生じた場合のフィルター交換作業（メンテナンス）が煩わしいばかりか、その交換作業は吸込ポンプ５３Ｐを停止させた状態で行わなければならない。つまり、めっき処理液を抽出することができず、当然に不純物を除去できないから生産を中止せざるを得ない。しかし、フィルター交換作業を必要とする期間の延長化（例えば、２倍化）を目指したフィルター装置７０の大型化（２倍化以上）は、装置コストの増大（４倍化以上）を招きかつ設置面積の増大やレイアウト上の制限があるので、運用上の実際においては認められ難い。
【００１８】
本発明の目的は、アノード室からカソード室への不純物の侵入を大幅に抑制しかつアノード金属の安定供給を維持しつつ、メンテナンス作業を必要とする期間の延長化により生産性を大幅に向上できるめっき処理装置およびめっき処理方法を提供することにある。
【課題を解決するための手段】
【００１９】
本発明は、原則的には部品交換等を必要としないメンテナンスフリーの電解除去処理装置とフィルター等の交換作業を伴うメンテナンスが必要なフィルター装置とをこの順で配設し、電解除去処理装置で抽出供給されためっき処理液中の不純物の大部分を除去可能かつフィルター装置で電解除去処理装置を通過しためっき処理液中に残存する不純物を除去可能に形成したものである。
【００２０】
すなわち、請求項１の発明は、めっき処理槽内の幅方向の両側に槽内中央に向う面が布製部材からなりかつ全体として密閉型のアノード室を形成する密閉アノード室構造体を装着するとともに各密閉アノード室構造体にアノードとこれを包囲する布製包囲部材とからなるアノードユニットを収容させ、密閉アノード室構造体間のめっき処理液中にカソードを形成するワークを浸漬させ、ワークと両アノードとの間に給電しつつ当該ワークの表面にめっき処理を施すめっき処理装置において、前記各アノード室内でかつ当該各アノードユニット外からめっき処理液を抽出して他所に供給可能なめっき処理液抽出供給手段と、電解除去槽，この電解除去槽の内部に装着された１対の陽極部材および両陽極部材間に装着された陰極部材を有しかつめっき処理液抽出供給手段によって抽出供給されためっき処理液中の不純物の大部分を電解処理により陰極部材側に析出させて除去する電解除去処理装置と、この電解除去処理装置を通過した後のめっき処理液中に残存する小量の不純物を機械的に除去可能かつカートリッジを交換可能なフィルター装置と、このフィルター装置により残存不純物が除去されためっき処理液を前記めっき処理槽内でかつ各密閉アノード室構造体外のカソード室に戻し供給可能なめっき処理液戻し供給手段とを設けためっき処理装置であるから、電解除去処理装置で大部分の不純物を除去しかつフィルター装置で残りの不純物（めっき処理槽に戻し供給すことが許されない物質）を除去することができるから、全体として抽出供給されためっき処理液中の不純物の全量を除去することができる。しかも、電解除去処理装置のメンテナンスは不要でありかつフィルター装置での除去する不純物量は僅かであるからメンテナンスを必要とする期間を大幅に長くできる。
【００２２】
また、請求項２の発明は、前記めっき処理槽と前記電解除去槽とを前記電解除去槽内の液面が前記めっき処理槽内の液面に対して低くなるように配設し、前記めっき処理液抽出供給手段が重力利用の自然流によって前記各アノード室内のめっき処理液を前記電解除去槽へ抽出供給可能に形成されためっき処理装置である。
【００２３】
さらに、請求項３の発明は、槽内中央に向う面が布製部材からなりかつアノードおよび布製包囲部材を含むアノードユニットを収容可能な全体として密閉型構造のアノード室を形成するとともにめっき処理槽内の幅方向の両側に装着された密閉アノード室構造体の間にカソードであるワークを浸漬させ、ワークと両アノードとの間に給電しつつ当該ワークの表面にめっき処理を施すめっき処理方法において、１対の陽極部材および両陽極部材間に装着された陰極部材を有する電解除去処理装置を用いて前記各密閉アノード室構造体のアノード室内でかつ当該各アノードユニット外から抽出供給されためっき処理液中の不純物の大部分を電解処理により陰極部材側に析出させて除去し、次いでフィルター装置を用いて電解除去処理装置を通過しためっき処理液中に残存する小量の不純物を機械的に除去し、フィルター装置を通過しためっき処理液を前記めっき処理槽内のカソード室に戻し供給しつつめっき処理を行うめっき処理方法である。
【発明の効果】
【００２４】
請求項１に係る発明によれば、抽出供給されためっき処理液中の不純物の大部分（大量）を電解除去処理装置で電解処理により陰極部材側に析出させて除去しかつ残り（小量）の不純物をフィルター装置によって機械的に除去してからめっき処理槽内に戻し供給可能に形成されためっき処理装置であるから、アノード室からカソード室のめっき処理液中への不純物の侵入を大幅に抑制できかつアノード金属の安定供給を維持しつつ、メンテナンス作業を必要とする期間の延長化により生産性を大幅に向上できる。しかも、低コストでかつ取扱いが容易である。
【００２６】
また、請求項２に係る発明によれば、電解除去槽内の液面がめっき処理槽内の液面に対して低くなるように配設し、めっき処理液抽出供給手段が重力利用の自然流によって各アノード室内のめっき処理液を電解除去槽へ抽出可能に形成されためっき処理装置であるから、請求項１の発明の場合に比較して一段と装置コストを低減できる。
【００２７】
さらに、請求項３に係る発明によれば、抽出されためっき処理液中の不純物を電解処理により陰極部材側に析出させて除去し、次いで残存不純物を機械的に除去し、その後にめっき処理槽内のカソード室に戻し供給しつつ行うめっき処理方法であるから、請求項１の発明の場合と同様な作用効果を奏し得る。
【発明を実施するための最良の形態】
【００２８】
（第１の実施の形態）
本めっき処理装置１０は、本めっき処理方法を実施するために最良の形態とされている。すなわち、本めっき処理装置１０は、図１に示す如く、めっき処理槽１１等の基本的構成（１０，１１，２０，２１等）が先提案（図５）のめっき処理装置１０Ｐ２の場合と同様とされているが、さらにめっき処理液抽出供給手段５０と電解除去処理装置３０とフィルター装置４０とめっき処理液戻し供給手段６０とを設け、各密閉アノード室構造体２０Ｌ，２０Ｒ内のアノード室２４から抽出供給されためっき処理液中の不純物［単位量当たりの重量として、例えば（Ｚ＋α）ｇ＝（Ｚ３０＋Ｚ４０＋α）ｇ］の大部分［単位量当たりの重量として、（Ｚ３０）ｇ］を第１段階として電解処理により除去しかつその残り［単位量当たりの重量として、（Ｚ４０）ｇ］を第２段階として機械的に除去してから、カソード室１１Ｋに戻し供給するように形成されている。
【００２９】
なお、上記した微量［単位量当たりの重量として、（α）ｇ］の不純物については、詳細後記する。
【００３０】
基本的構成は、確認的に、図１に示す通り、めっき処理槽１１内の幅方向の両側に槽内中央に向う面が布製部材２６からなりかつ全体として仕切壁２５で囲われた密閉型のアノード室２４を形成する密閉アノード室構造体２０（２０Ｌ，２０Ｒ）を装着するとともに各密閉アノード室構造体２０Ｌ，２０Ｒにアノードユニット２１（アノード２２，布製包囲部材２３）を収容させ、密閉アノード室構造体（２０Ｌ，２０Ｒ）間のめっき処理液Ｑ中にカソード（ワークＷ）を浸漬させ、ワークＷと両アノード２２との間に図示省略した電源装置から給電しつつ当該ワークの表面にめっき処理を施すことができるように構築されている。
【００３１】
つまり、電解除去処理装置３０を用いて各密閉アノード室構造体２０のアノード室２４内でかつ当該各アノードユニット２１外から抽出供給されためっき処理液中の不純物を電解処理により除去し、次いでフィルター装置４０を用いて電解除去処理装置３０を通過しためっき処理液中に残存する不純物を機械的に除去し、フィルター装置４０を通過しためっき処理液をめっき処理槽１１内のカソード室１１Ｋに戻し供給しつつめっき処理を行う本めっき処理方法を確実に実施することができる。
【００３２】
図１において、アノード２２は、溶融（溶解）性に富んだ銅（例えば、含リン銅）材料製で、図示省略したチタン製のラック（カゴ）に収められている。めっき処理（給電）中に各アノード２２から溶出したアノード金属は、アノードユニット２１（２１Ｌ，２１Ｒ）の一部を形成する布製包囲部材２３を内側から外側に通りかつ密閉アノード室構造体２０（２０Ｌ，２０Ｒ）の布製部材２６を内側から外側に通過してワーク（カソード）Ｗに至りかつその表面に析出される。
【００３３】
一方、アノード金属の溶出と同時的にスライムの形でアノード２２から溶出した不純物（アノード金属溶融促進用物質）の大部分は、短期的には、アノードユニット２１の布製包囲部材２３で外側への通過が阻止される。しかし、その一部はこれを通過する。この外側に通過したスライムは、密閉アノード室構造体２０の布製部材２６によって外側（カソード室１１Ｋ）への通過が阻止されるので、密閉アノード室構造体２０内に溜まる。つまり、アノード室２４内の不純物の含有濃度が高くなる。
【００３４】
なお、仕切壁２５は、布製部材２６の設置領域面を除く他の領域面を仕切る壁であり、アノード室２４（カソード室１１Ｋ）からカソード室１１Ｋ（アノード室２４）へのめっき処理液Ｑの自由流動を阻止する役割を持つ。
【００３５】
めっき処理液Ｑは、プリント回路基板（ワークＷ）の両面に設けられたブラインドビアホール（非貫通ホール）を金属銅で充填（埋込）させるビアフィリングめっき処理を可能とするもので、この実施の形態では、めっき処理液（めっき浴組成）を硫酸銅（例えば、２００ｇ／Ｌ）と硫酸（例えば、５０ｇ／Ｌ）と塩素イオン（例えば、５０ｍｇ／Ｌ）の混合液としかつビアフィリングめっき向けに専用的に開発した適量の添加剤を加える。添加剤としては、ポリエーテル化合物（ポリマー）、有機硫黄化合物（ブライトナー）および４級化アミン化合物（レベラー）の各適量である。
【００３６】
なお、本めっき処理装置１０では、ブラインドビアホールと異なるスルーホール（貫通孔）を有するプリント回路基板（Ｗ）へのスルーホールめっき処理も行える。但し、この場合には、めっき処理液Ｑの組成は上記の場合と多少変更してもよい。
【００３７】
ここにおいて、めっき処理液抽出供給手段５０は、図１に示す如く、先端が各アノード室２４内に連通しかつ基端部が吸込抽出管５２に連結された左右の吸込抽出枝管５１Ｌ，５１Ｒと抽出供給ポンプ５３と抽出供給管５４とから構成され、抽出供給ポンプ５３を回転駆動することにより各アノード室２４内でかつ当該各アノードユニット２１Ｌ，２１Ｒ外のめっき処理液を抽出可能かつ電解除去処理装置３０（電解除去槽３１…他所）に供給可能に形成されている。
【００３８】
吸込抽出枝管５１（５１Ｌ，５１Ｒ）の取付け位置は、特に限定されない。この実施の形態では、スライムの形でアノード２２から溶出した不純物（アノード金属溶融促進用物質）の濃度が高くなり易いアノード室２４の下方側にその先端を位置決めしてある。このように位置選択をすれば、戻し供給管６４を介して第２の不純物除去手段（４０）からめっき処理槽１１（１１Ｋ）の上部に戻し供給される不純物除去後の新鮮なめっき処理液Ｑを、布製部材２６を通してアノード室２４内に円滑に補給できかつアノード室２４内での下向き液流動を円滑に促進させられる。
【００３９】
また、図１において、電解除去槽３１の槽高およびレイアウト（設置位置）上の関係から、電解除去槽３１（カソード室３１Ｋ）の液面Ｑ３１がめっき処理槽１１（１１Ｋ）の液面Ｑ１１よりも高い場合を示している。しかし、抽出供給ポンプ５３の加圧力で抽出しためっき処理液を電解除去槽３１へ十分にポンプアップ（供給）することができるから、問題はない。当然に、液面Ｑ３１と液面Ｑ１１とを同一面とするレイアウトを採択した場合も、問題は生じない。
【００４０】
なお、電解除去槽３１（カソード室３１Ｋ）の液面Ｑ３１をめっき処理槽１１（１１Ｋ）内の液面Ｑ１１よりも低くした場合については、第２の実施の形態において説明する。
【００４１】
また、抽出供給管５４を通し電解除去槽３１の上部側にめっき処理液を戻しかつその下部側に吸込管６２を設けてある。電解除去槽３１（３１Ｋ）内でのめっき処理液の滞留時間の一段の長期化および不純物の一層の効率的捕獲を期するためである。
【００４２】
但し、抽出供給管５４および吸込管６２の取付け位置は、これに制約されず、状況に応じた適当位置に設けることができる。めっき処理液の滞留時間長期化および不純物の効率的捕獲を期することができる限りにおいて、電解除去槽３１の下部側に抽出供給管５４を設け、上部側に吸込管６２を設けてもよい。
【００４３】
なお、密閉アノード室構造体２０（２４）をめっき処理槽１１の長手方向（図１で紙面に垂直方向）に複数分割する構造とする場合には、各密閉アノード室構造体２０（２４）のそれぞれに吸込抽出枝管５１（５１Ｌ，５１Ｒ）を設け、共通の吸込抽出管５２および抽出供給ポンプ５３を用いて抽出・供給するように形成するのが好ましい。
【００４４】
もっとも、各密閉アノード室構造体２０（２４）毎に、めっき処理液抽出供給手段５０（５１，５２，５３，５４）、詳細後記の電解除去処理装置３０、フィルター装置４０およびめっき処理液戻し供給手段６０を設ける構造としても、本発明を実施することができる。
【００４５】
抽出供給ポンプ５３は、図示しない制御部を用いて連続運転が選択された場合にはアノード室２４からめっき処理液を連続して抽出でき、間欠運転が選択された場合には間欠抽出することができる。また、他所（電解除去槽３１）への抽出供給量は、抽出供給ポンプ５３の出口側に設けられた調整弁５４Ｖを用いて増減変更調整することができる。
【００４６】
何れの運転を選択した場合でも、抽出されためっき処理液は、電解除去処理装置３０を形成する電解除去槽３１に供給される。なお、各アノード室２４内には、カソード室１１Ｋから布製部材２６を通して、抽出量に相当する等価量の新鮮なめっき処理液Ｑが補給される。
【００４７】
すなわち、生産量（給電量）やめっき処理液の組成等によって影響を受けるアノード室２４内のスライムの発生状況に応じて、連続運転と間欠運転とを選択することができるので、電解除去処理装置３０およびフィルター装置４０の効率的運用ができる。
【００４８】
さて、めっき処理液抽出供給手段５０を用いて抽出供給されためっき処理液中の不純物を除去するための電解除去処理装置３０は、この実施の形態では、上記した電解除去槽３１と，この電解除去槽３１の内部に装着された１対の陽極部材３２（左側が３２Ｌ，右側が３２Ｒ）と，両陽極部材３２間に装着された陰極部材３５とを有し、電解処理（めっき処理相当）により不純物を陰極部材３５側（陰極部材３５の両面）に析出させて除去するように形成されている。
【００４９】
この電解除去処理装置３０は、陽極部材３２Ｌと陰極部材３５との間および陰極部材３５と陽極部材３２Ｒとの間に通電（図示しない電源ユニットから給電）し、カソード室３１Ｋ内のめっき処理液中に含まれる不純物を陰極部材３５の各面に電解処理により析出させることで除去することができる。つまり、陰極部材３５をめっき処理における被めっき処理物（ワーク）相当品としかつ不純物をめっき金属（アノード金属イオン）相当品とするめっき処理手法により電解析出させる。
【００５０】
したがって、各陽極部材３２Ｌ，３２Ｒは、金属イオンを供給する必要がないので溶融性物質でなくてもよく、陰極部材３５は陰極面積が大きくとれる良導電体であればよい。この実施の形態では、各部材３２Ｌ，３５，３２Ｒともに銅製平板から形成してある。各部材３２Ｌ，３５，３２Ｒのメンテナンス（清掃や交換）は、生産性に実質的な影響を及ぼすことがない期間（例えば、半年）に１回行なうだけで十分である。
【００５１】
各極面積の大きさや電流密度等とともに電解除去槽３１の除去能力を決定付ける槽容積は、大きければ大きい程、抽出供給されためっき処理液の槽内停滞時間を延長化することができるから、不純物の除去能力を大きくすることができる。しかし、めっき処理装置１０全体に対するレイアウトやコスト上の制約からその大型化にも一定の限界（限度）があるばかりか、特に連続運転を選択した場合において抽出供給されためっき処理液中に含まれる不純物の全量［単位量当たりの重量として、（Ｚ）ｇ＝（Ｚ３０＋Ｚ４０）ｇ］を確実に除去することは運用の実際において至難である。電解析出されずに電解除去槽３１（３１Ｋ）内を素通りするめっき処理液もあるからである。この意味（素通り発生）において、不純物除去手段を電解除去処理装置３０のみから形成することは実用的でないこと明白である。
【００５２】
すなわち、本発明の技術的特長は、原則的に、アノード室２４から抽出供給されためっき処理液中の不純物の大部分をメンテナンスフリーの電解除去処理装置３０の電解処理により除去し、次いで液流動等の関係で電解除去処理装置３０によっては除去できなかった残りの不純物をフィルター装置４０により機械的に除去可能に形成し、結果として電解除去処理装置３０とフィルター装置４０の協働によりめっき処理液中への不純物の侵入を大幅に抑制しかつアノード金属の安定供給を維持しつつ、機械的手法の場合に必要なメンテナンス作業（部品交換作業等）の期間長期化を図ることで、生産性を向上させる考え方である。
【００５３】
ここに、電解除去処理装置３０によっては除去できなかった“残りの不純物”とは、上記した量［（Ｚ＋α−Ｚ３０）ｇ＝（Ｚ４０＋α）ｇ］の不純物を指す。ただし、粒子が１μｍ未満で微量［（α）ｇ］の不純物は、めっき処理槽１１（１１Ｋ）内に戻し供給しても、めっき品質に悪影響を及ぼすことがない。つまり、必ずしも、フィルター装置４０によって除去する必要がないものである。
【００５４】
したがって、機械的手法（４０）のメンテナンス作業を必要とする期間の長期化を図るには、電解処理手法（３０）により大量［上記（Ｚ３０）ｇ］の不純物を除去（捕獲）しかつ機械的手法により残りの小量［上記（Ｚ４０）ｇ］の不純物を除去（捕獲）するように構築することが重要である。このことはまた、抽出めっき液の流れ方向において、電解処理手法を実施するための電解除去処理装置３０を前置しかつ機械的手法を実施するためのフィルター装置４０を後置することを意味する。
【００５５】
この逆の配置順序（フィルター装置４０を前置し、電解除去処理装置３０を後置する。）では、本発明は成立しない。先提案（図５）に係るめっき処理装置１０Ｐ２の場合におけるフィルター装置４０に必要な頻繁（短期間ごと）で複雑なメンテナンス作業を回避できないからである。
【００５６】
以上から明らかの通り、電解除去処理装置３０およびフィルター装置４０で除去すべき不純物の総量は、アノード室２４から抽出供給されためっき処理液中に含まれる不純物の全量［（Ｚ＋α）ｇ＝（Ｚ３０＋Ｚ４０＋α）ｇ］でなくてもよい。換言すれば、物質乃至組成的には不純物と同じものでかつめっき処理槽１１（１１Ｋ）内にそのまま戻しても、めっき品質に悪影響を及ぼすことがない微細（１μｍ未満）でかつ微量（α）の物質（不純物）までを完全除去することを意味せず、その必要性もないわけである。
【００５７】
つまり、抽出供給されためっき処理液の単位量中の不純物濃度が約（ｚ）％［単位量当たり（Ｚ＋α）ｇの不純物を含む。］の場合、両装置３０，４０を通過した後のめっき処理液（単位量）中の不純物濃度を、めっき処理槽１１内に最初に液建てされためっき処理液Ｑの不純物濃度が｛例えば、０％［単位量当たり（０）ｇ］｝に等しくしなければならないという完璧性は要求されない。
【００５８】
めっき処理槽１１内でめっき処理を実行するために許容される（めっき品質を保障できる）範囲内の不純物濃度｛例えば、α％［単位量当たりの許容不純物量が（α）ｇ］まで減少させることができればよいわけである。つまり、電解除去処理装置３０およびフィルター装置４０では、上記した［単位量あたりの重量で、（Ｚ）ｇ＝（Ｚ３０＋Ｚ４０）ｇ］の不純物を除去できればよい。
【００５９】
なお、微量［（α）ｇ］の不純物には、この実施の形態の場合、１μｍ以上の粒子（不純物）は含まれない。つまり、粒子の大きさが１μｍ以上の不純物は、めっき品質を低下させるのでフィルター装置４０で１００％完全除去（捕獲）できるように構築してある。
【００６０】
かくして、上記した許容微量［（α）ｇ］を省略しかつ先提案（図５）のめっき処理装置１０Ｐ２においてはフィルター装置７０のみで全量（下記の比率説明上、“１０”とする。）を除去するものとして説明すると、この実施の形態では、電解除去処理装置３０で除去すべき不純物量［（Ｚ３０）ｇ］とフィルター装置４０で除去すべき不純物量［（Ｚ４０）ｇ］との比率（Ｚ３０：Ｚ４０）を［（７．５／１０）：（２．５／１０）］に選択してある。したがって、フィルター装置（７０）だけを用いた先提案めっき処理装置１０Ｐ２の場合に比較して、フィルター装置４０のメンテナンス（カートリッジ４２の交換作業）を必要とする期間を少なくとも４（＝１０／２．５）倍以上に延長することができる。なお、上記比率（Ｚ３０：Ｚ４０）は［（８／１０）：（２／１０）］または［（９／１０）：（１／１０）］とすることが好ましい。このような比率にすれば、生産性を５（＝１０／２）倍または１０（＝１０／１）倍に引上げることができると理解される。
【００６２】
次に、フィルター装置４０は、電解除去処理装置３０を通過した後のめっき処理液中に残存する不純物を機械的に除去するもので、この実施の形態ではフィルター本体４１と着脱可能なカートリッジ４２とから形成されている。
【００６３】
このフィルター装置４０は、電解除去処理装置３０を通過した後のめっき処理液中に残存する不純物［上記した（Ｚ４０＋α）ｇ］の中の粒子が上記した１μｍ以上の不純物［上記した（Ｚ４０）ｇ］を１００％捕獲することができるフィルター性能を持つ。カートリッジ（フィルター要素群）４２が交換可能であるから、メンテナンス（フィルター交換作業）時間も大幅に短縮（例えば、１０分以下）することができる。
【００６４】
めっき処理液戻し供給手段６０は、フィルター装置４０により残存不純物が除去されためっき処理液をめっき処理槽１１内でかつ各密閉アノード室構造体（２０Ｌ，２０Ｒ）外のカソード室１１Ｋに戻し供給可能である。
【００６５】
この実施の形態では、電解除去処理装置３０を通過した後のめっき処理液を、フィルター装置４０へ加圧供給するための加圧供給手段［６０（吸込管６２，戻し供給ポンプ６３）］をも兼用可能に構成してある。すなわち、戻し供給ポンプ６３を回転駆動すると、電解除去槽３１から残りの不純物を含むめっき処理液が吸引されかつフィルター装置４０に加圧供給される。このフィルター装置４０（４２）で機械的に残りの不純物が除去されためっき処理液は、戻し供給管６４を通してめっき処理槽１１（１１Ｋ）内に戻される。
【００６６】
戻し供給ポンプ６３に代えて、フィルター装置４０の上流側に加圧供給専用のポンプを設けかつその下流側に本来的な戻し供給ポンプを設けるように構築しても、本発明を実施することができる。
【００６８】
かかる第１の実施の形態（めっき処理装置１０）では、めっき処理液Ｑ中でかつ両アノードユニット２１Ｌ，２１Ｒの間にカソード（ワークＷ）を浸漬し、しかる後に、めっき処理液Ｑ中で負極電極（−）側のワークＷと正極電極（＋）側の両アノード２２との間に図示省略した電源装置から給電する。ワークＷは、搬送方向に連続搬送される。
【００６９】
各アノード２２から溶出したアノード金属は、アノードユニット２１の布製包囲部材２３を内側から外側に通りかつ密閉アノード室構造体２０の布製部材２６を内側から外側に通過してワーク（カソード）Ｗに至りかつその表面に析出される。
【００７０】
この際、アノードユニット２１内ではアノード２２からアノード金属とともに不純物（アノード金属溶融促進用物質）がスライムの形で溶出する。この不純物の大部分は、短期的には、アノードユニット２１の布製包囲部材２３で外側への通過が阻止されるが、一部はこれを通過する。そして、布製包囲部材２３を内側から外側に通過し不純物は、密閉アノード室構造体２０の布製部材２６で外側への通過が阻止されるから、直接にカソード室１１Ｋに至らずに密閉アノード室構造体２０内すなわちアノード室２４内に停滞する。
【００７１】
したがって、アノード室２４内の不純物の停滞量が放置時間に比例的にかつ次第に増大し、時間経過とともにカソード室１１Ｋ側への不純物の侵入量が増してしまう。ここに、めっき処理液抽出供給手段５０、不純物除去手段（３０，４０）およびめっき処理液戻し供給手段６０を運転（例えば、連続運転）する。
【００７２】
すなわち、抽出供給ポンプ５３が回転駆動され各アノード室２４内でかつ当該各アノードユニット（２１）外のめっき処理液を連続的に抽出する。抽出されためっき処理液は、抽出供給管５４を通して電解除去槽３１に供給される。この抽出されためっき処理液（単位量）中には［上記した（Ｚ＋α）ｇ＝（Ｚ３０＋Ｚ４０＋α）ｇ］の不純物が含まれている。
【００７３】
電解除去処理装置３０は、陽極部材３２Ｌ，３２Ｒと陰極部材３５とに給電されているので、電解処理により不純物を陰極部材３５側（両面）に電気化学的に析出（除去）する。めっき品質上、実質的には差し支えのない粒子が１μｍ未満の大きさでかつ微量［（α）ｇ］の不純物について省略して説明すると、単位量当たり｛［Ｚ３０］ｇ＝［Ｚ×（７．５）／（７．５＋２．５）］ｇ｝の不純物を除去することができる。かかる不純物除去後の抽出めっき処理液中には、単位量当たり［（Ｚ４０）ｇ＝（Ｚ−Ｚ３０）ｇ］の不純物が残存する。
【００７４】
次いで、めっき処理液戻し供給手段６０（６３）の働きにより、不純物除去後でかつ残りの不純物を含むめっき処理液は、フィルター装置４０に加圧供給される。フィルター装置４０は、残存する不純物［（Ｚ４０）ｇ］をフィルター４２により機械的に除去（濾過）する。粒子が１μｍ以上の不純物の全量［（Ｚ４０）ｇ］を捕獲（除去）できる。
【００７５】
最終的には、めっき処理（めっき品質）に悪影響を及ぼすことのない１μｍ未満の微量［（α）ｇ＝（Ｚ−Ｚ３０−Ｚ４０）ｇ］の不純物を含むめっき処理液は、めっき処理槽１１内でかつ各密閉アノード室構造体２０外のカソード室１１Ｋに戻し供給される。
【００７６】
かくして、アノード室２４内の不純物濃度はめっき処理に害を及ぼすことがない程度に調整することができ、カソード室１１Ｋには不純物除去後の新鮮なめっき処理液が供給される。つまり、ワークＷを浸漬するめっき処理液Ｑ中への不純物の侵入を大幅に抑制（めっき処理液中のめっき品質を低下させる虞のある不純物を完全除去）しつつ、アノード金属イオンをカソード室１１Ｋに安定して供給することがでる。よって、析出皮膜（表面状態）にザラやブツのない高品質製品を安定して生産することができる。
【００７７】
なお、スルーホールめっき処理の場合も、スルーホールおよびパターンめっき
に対応した添加剤の開発も相俟って、量産稼働ができることを確認している。
【００７８】
（第２の実施の形態）
この第２の実施の形態は、図２に示される。
【００７９】
すなわち、第２の実施の形態では、基本的構成（１０、２０、３０、４０、６０）が第１の実施の形態の場合と同様であるが、めっき処理液抽出供給手段５０が第１の実施の形態の場合は抽出供給ポンプ５３を用いた強制抽出（供給）構造であるのに対して、この第２の実施の形態の場合は重力利用の自然流によって各アノード室２４内のめっき処理液を電解除去槽３１（カソード室３１Ｋ）内に自然抽出供給可能に形成されている。
【００８０】
めっき処理液抽出供給手段５０Ａは、図２に示す如く、吸引抽出管５２Ａと、先端が各アノード室２４内に連通しかつ基端部が吸引抽出管５２Ａに連結された左右の吸引抽出枝管５１ＬＡ，５１ＲＡとから構成されている。そして、めっき処理槽１１と電解除去槽３１とを、電解除去槽３１内の液面Ｑ３１がめっき処理槽１１内の液面Ｑ１１に対して選択高さ（Ｈ）分だけ低くなるように配設してある。
【００８１】
したがって、めっき処理槽１１内のアノード室２４から電解除去槽３１内にめっき処理液をサイフォン効果（重力利用）により自然落下（流下）供給することができる。単位時間当たりのめっき処理液の抽出量は、吸引抽出管５２Ａの途中に設けた調整弁５２Ｖで増減調整することができる。
【００８２】
しかして、この第２の実施の形態によれば、第１の実施の形態の場合と同様な作用・効果を奏することができることに加え、さらに第１の実施の形態の場合（図１）に比較して抽出供給ポンプ５３および抽出供給管５４等を一掃することができるから、初期投入コストおよびランニングコストを一段と低減でき、取扱いも一層容易である。
【００８３】
なお、重力利用の自然流によって各アノード室２４内のめっき処理液を電解除去槽３１（カソード室３１Ｋ）内に自然抽出供給させる構造は、上記形態（図２）の場合に限定されない。すなわち、図２では、めっき処理槽１１と電解除去槽３１との配置高さを変えることで段差（高さＨ）［図１の場合との比較便宜のために大きく誇張表示されている。］を確保していたが、この段差（Ｈ）は例えば図３に示すようにめっき処理槽１１内の液面Ｑ１１と電解除去槽３１内の液面Ｑ３１との段差として直接に確保する構造（変形例）としてもよい。
【００８４】
すなわち、図３において、めっき処理槽１１と電解除去槽３１とは、戻し供給ポンプ６３の停止状態において液面Ｑ１１と液面Ｑ３１とが同一高さ［Ｈ＝０］になるように配置されている。また、図２の調整弁５２Ｖに代えて戻し供給ポンプ６３の出口側に調整弁６３Ｖを設ける。戻し供給ポンプ６３の起動状態では、電解除去槽３１（３１Ｋ）内の液面が２点鎖線で示したＱ３１ｌに低下しかつめっき処理槽１１（１１Ｋ）内の液面が２点鎖線で示したＱ１１ｈに上昇する。つまり、液面Ｑ１１ｈと液面Ｑ３１ｌとの間に段差［高さＨ（＝Ｑ１１ｈ−Ｑ３１ｌ）］を確保することができる。その他は、図２の場合と同様な構造である。
【００８５】
したがって、戻し供給ポンプ６３を起動すれば、段差（Ｈ）に基づきめっき処理槽１１内のアノード室２４から電解除去槽３１内にめっき処理液をサイフォン効果（重力利用）により自然落下（流下）供給することができる。単位時間当たりのめっき処理液の抽出量は、調整弁６３Ｖで増減調整することができる。さらに、この変形例によれば、段差（Ｈ）を抽出量に応じた大きさでかつ最小的な値にすることができるから、電解除去槽３１内での液乱れを一段と抑制できる。また、各槽１１，３１のレイアウトが容易である。
【産業上の利用可能性】
【００８６】
本発明は、各種の電子部品、特にブラインドビアホールを有するプリント配線基板に、生産性を大幅に向上しつつ高品質なビアフィリングめっき処理を施すために利用される。
【図面の簡単な説明】
【００８７】
【図１】本発明に係る第１の実施の形態を説明するための図である。
【図２】本発明に係る第２の実施の形態を説明するための図である。
【図３】本発明に係る第２の実施の形態（変形例）を説明するための図である。
【図４】従来例１を説明するための図である。
【図５】従来例２を説明するための図である。
【符号の説明】
【００８８】
１０  めっき処理装置
１１  めっき処理槽
１１Ｋ  カソード室
２０  密閉アノード室構造体
２１  アノードユニット
２２  アノード
２３  布製包囲部材
２４  アノード室
２６  布製部材
３０  電解除去処理装置
３１  電解除去槽
３２  陽極部材
３５  陰極部材
４０  フィルター装置
４２  カートリッジ
５０  めっき処理液抽出供給手段
５３  抽出供給ポンプ
６０  めっき処理液戻し供給手段
６３  戻し供給ポンプ
Ｗ  ワーク（カソード）
【図１】
0004707941.tif 000002
【図２】
0004707941.tif 000003
【図３】
0004707941.tif 000004
【図４】
0004707941.tif 000005
【図５】
0004707941.tif 000006